(57)【要約】【課題】  簡単な構成で高精度の測光値が得られ撮影画像の画質の低下が小さく抑えられた撮影装置を提供する。【解決手段】  撮影光学系の焦点距離に応じて液晶レンズ３への印加電圧を測光領域調整手段２３で調整し、その液晶レンズ３で変化させた測光範囲の光を測光用受光素子２１で受光し、受光して得られた受光信号を測光回路２２で処理して駆動用ＣＰＵ１２０に向けて出力する。【選択図】  図３
2007108426.tif 000002
【特許請求の範囲】
【請求項１】
焦点距離可変な撮影光学系を備え該撮影光学系を経由して入射してきた被写体光を、撮影操作に応じて写真フイルム上に捉える撮影装置において、
測光用受光素子と、
液晶を用い、電圧の変化を受け印加電圧に応じて前記測光用受光素子による測光範囲を変化させる液晶レンズと、
前記撮影光学系の焦点距離に応じて前記液晶レンズへの印加電圧を調整する測光領域調整手段とを備えたことを特徴とする撮影装置。
【発明の詳細な説明】
【技術分野】
【０００１】
本発明は、焦点距離可変な撮影光学系を備えその撮影光学系を経由して入射してきた被写体光を、撮影操作に応じて写真フイルム上に捉える撮影装置に関する。
【背景技術】
【０００２】
上述した撮影装置の１つに、ズーミング機能を有する撮影光学系を備えたコンパクトカメラがある。このコンパクトカメラにおける一般的な測光光学系としては、一枚の凸レンズからなる焦点距離固定なものが主流である。このようなコンパクトカメラでは、撮影光学系の画角の変化に対して測光光学系による測光範囲が不変のため、測光範囲をズーム領域の中間に合わせて設定したとしても、その測光範囲は、広角側においては狭過ぎるという不具合が生じ、一方望遠側においては広過ぎるという不具合が生じる。特に、望遠側においては、撮影範囲の外側まで測光してしまうため、逆光の影響を受けやすく、従って画質に悪影響を与えるという問題がある。
【０００３】
そこで、撮影光学系のズーミングに連動してズーミングされる測光用ズームレンズと、そのズームレンズの後方に配備され撮影領域の中央部，周辺部に対応する２つの部分を有する測光センサからの出力に基づいて、ズーミング時に生じる、撮影レンズと測光レンズ間でのレンズの明るさ（開放絞り値）のずれを補正して、常に適正な絞りの下で適正な露出値を得ることができるカメラが提案されている（例えば、特許文献１参照）。
【０００４】
また、測光手段で測光された多数の測光値のうちの代表測光値の差分が、撮影光学系の焦点距離によって定められた閾値以上のときに逆光状態と判定することにより、測光光学系がズーミングしないコンパクトカメラにおいても適正な露出値を得ることができるカメラが提案されている（例えば、特許文献２参照）。
【特許文献１】特開平４−５７０３５号公報
【特許文献２】特開平６−１６７７３５号公報
【発明の開示】
【発明が解決しようとする課題】
【０００５】
ここで、ズーミング機能を有する撮影光学系および焦点距離固定な測光光学系を備えたコンパクトカメラに、上述した特許文献１に提案された、撮影領域の中央部，周辺部に対応する２つの部分を有する測光センサからの出力に基づいて適正な露出値を得ることができる技術を採用することが考えられる。しかし、このカメラでは、撮影範囲は撮影光学系のズーミングに応じて変化するものの測光範囲は不変であるため、例えば撮影光学系が望遠側にズーミングされて画角が狭くなった場合、その狭くなった画角に見合った測光値を得ることは困難であり、従って撮影画像の画質が低下するという問題がある。
【０００６】
一方、特許文献２に提案された技術は、測光手段で測光された代表測光値の差分が、撮影光学系の焦点距離によって定められた閾値以上のときに逆光状態と判定するものであるため、測光光学系がズーミングしないコンパクトカメラにおいても適正な露出を行なうことができるものの、精度の高い測光値を得るためには、測光手段の構成が複雑になるという問題を抱えている。
【０００７】
本発明は、上記事情に鑑み、簡単な構成で高精度の測光値が得られ撮影画像の画質の低下が小さく抑えられた撮影装置を提供することを目的とする。
【課題を解決するための手段】
【０００８】
上記目的を達成する本発明の撮影装置は、焦点距離可変な撮影光学系を備えその撮影光学系を経由して入射してきた被写体光を、撮影操作に応じて写真フイルム上に捉える撮影装置において、
測光用受光素子と、
液晶を用い、電圧の印加を受け印加電圧に応じて前記測光用受光素子による測光範囲を変化させる液晶レンズと、
上記撮影光学系の焦点距離に応じて上記液晶レンズへの印加電圧を調整する測光領域調整手段とを備えたことを特徴とする。
【０００９】
本発明の撮影装置は、撮影光学系の焦点距離に応じて液晶レンズへの印加電圧を調整することにより、測光用受光素子の測光範囲を変化させるものである。このため、撮影光学系が望遠側にズーミングされて撮影光学系の撮影範囲が狭くなった場合であっても、その狭くなった撮影範囲に応じて測光範囲が変化し、この測光範囲に見合った光量が測光用受光素子で受光される。従って、簡単な構成で高精度の測光値を得ることができ撮影画像の画質の低下を小さく抑えることができる。
【発明の効果】
【００１０】
本発明によれば、簡単な構成で高精度の測光値が得られ撮影画像の画質の低下が小さく抑えられた撮影装置を提供することができる。
【発明を実施するための最良の形態】
【００１１】
以下、本発明の実施の形態について説明する。
【００１２】
図１は、本発明の撮影装置の一実施形態であるカメラを示す図である。
【００１３】
図１（ａ）には、本発明の撮影装置の一実施形態であるカメラを前面斜め上から見た図が示されている。また、図１（ｂ）には、本発明の撮影装置の一実施形態であるカメラを背面から見た図が示されている。
【００１４】
図１に示すカメラ１００は、焦点距離可変な撮影光学系を備えその撮影光学系を経由して入射してきた被写体光を、撮影操作に応じて写真フイルム上に捉えるコンパクトフイルムカメラである。
【００１５】
図１（ａ）に示すように、このカメラ１００の前面中央部には、光学ズームレンズ１０１を内部に備えたズーム鏡胴１０が備えられている。
【００１６】
また、このカメラ１００の前面上部には、フラッシュ発光部１６と、測距部１７を構成するＡＦ投光窓１７ａおよびＡＦ受光窓１７ｂと、ファインダ対物窓１５と、後述する測光光学系２０とが備えられている。
【００１７】
さらに、このカメラ１００の上面には、シャッタボタン１４が備えられている。
【００１８】
また、図１（ｂ）に示すように、このカメラ１００の背面には、裏蓋１２０と、視度調節ダイヤル４０と、ファインダ接眼窓４１と、ピント合わせが完了した時に光を発するＡＦランプ４２と、電源ボタン４３とが備えられている。
【００１９】
裏蓋１２０には、光学ズームレンズ１０１をテレ側（遠距離側）あるいはワイド側（近距離側）に動作させるズームボタン４４と、フイルム確認窓４５と、電池蓋４６とが備えられている。
【００２０】
また、裏蓋１２０には、液晶モニタ部４７が備えられている。この液晶モニタ部４７は、オートフラッシュや赤目軽減フラッシュ等のフラッシュモードを表示するためのフラッシュモード表示部４７ａと、セルフタイマの有無を表示するためのセルフタイマモード表示部４７ｂと、オートフォーカス等のフォーカスモードを表示するためのフォーカスモード表示部４７ｃと、年・月・日・時・分等を表示するための日付モード表示部４７ｄと、電池の残存容量を表示するための電池残存表示部４７ｅと、撮影枚数を表示するための撮影枚数表示部４７ｆとを有する。
【００２１】
さらに、裏蓋１２０には、各種のメニューやモードの選択を行なうための十字ボタン４８と、各種のメニューを表示したり十字ボタン４８で選択されたメニューやモードを決定するためのメニュー／決定ボタン４９も備えられている。
【００２２】
図２は、図１に示すカメラの回路ブロック図である。
【００２３】
このカメラ１００には、内蔵電池５０が実装されており、その内蔵電池５０からの電力は直接にドライバＩＣ５１に供給されるとともに、レギュレータ５２により安定化されてＣＰＵ５３に供給される。また、レギュレータ５２の出力電圧はリセット回路５４でモニタされる。このリセット回路５４は、レギュレータ５２の出力電圧が、ＣＰＵ５３が正常に動作することのできる最低電圧まで低下すると、このカメラ１００の作動の暴走を防ぐためＣＰＵ５３の動作を停止させる役割りを担っている。
【００２４】
ＣＰＵ５３には、そのＣＰＵ５３で実行される各種プログラムやデータが格納されたＥＥＰＲＯＭ５５、内蔵電池５０の残存容量をモニタするためのバッテリチェック回路５６、上述した液晶モニタ部４７、後述する測光光学系２０、測距部１７、ズームボタン４４等からなる操作子群７０、およびフラッシュ発光部１６が接続されており、ＣＰＵ５３は、その接続先に応じ、指示や情報を受け取り、あるいは制御を行なっている。また、ＣＰＵ５３には、そのＣＰＵ５３が動作するのに必要となる基本クロックを生成するための水晶発振子６２も接続されている。さらに、ＣＰＵ５３には、ドライバＩＣ５１も接続されており、ドライバＩＣ５１は、ＣＰＵ５３の指示を受けてシャッタ開閉駆動用の電動モータ５７，フイルム給送用の電動モータ５９，フォーカス動作用の電動モータ６０，ズーム動作用の電動モータ６１を駆動する。さらに、ドライバＩＣ５１には、シャッタが開き始めたタイミングを捉えるシャッタセンサ５８も接続されている。
【００２５】
ここで、ドライバＩＣ５１は、シャッタ開閉駆動用の電動モータ５７を駆動するためのシャッタ駆動ドライバを内蔵し、このシャッタ駆動ドライバは、ＣＰＵ５３からの指令を受けてシャッタ開閉駆動用の電動モータ５７を駆動し、シャッタセンサ５８により検出されたシャッタ開のタイミングから、詳細は後述するが、測光光学系２０で測光された被写界の明るさの情報に応じたタイミングまで、シャッタを開いて閉じる。こうすることにより、ひと駒分の撮影が行なわれる。
【００２６】
また、ドライバＩＣ５１には、フイルム給送用の電動モータ５９、フォーカス動作用の電動モータ６０、およびズーム動作用の電動モータ６１を駆動するための、フイルム給送ドライバ，フォーカス動作用ドライバ，ズーム動作用ドライバが内蔵されている。
【００２７】
フイルム給送ドライバは、ＣＰＵ５３からの指示に応じて電動モータ５９を駆動し、例えば、ひと駒の撮影が終了すると写真フイルムをひと駒分巻き上げたり、最終駒まで撮影が終了すると写真フイルムをフイルムパトローネ（図示せず）内に巻き戻したりする。
【００２８】
また、フォーカス動作用ドライバは、測距部１７の測距結果に応じて電動モータ６０を駆動し、ピント調節のためのフォーカス動作を行なう。
【００２９】
さらに、ズーム動作用ドライバは、ズーム操作レバーの操作に応じたズームボタン４４のオン、オフがＣＰＵ５３で検出されたことによるＣＰＵ５３からの指示に応じて、電動モータ６１を駆動し、ズーム鏡胴１０（図１参照）をテレ側、あるいはワイド側に動作させる。
【００３０】
図３は、図２に示す測光光学系の構成を示すブロック図である。
【００３１】
図３に示す測光光学系２０には、液晶レンズ３と、測光用受光素子２１と、測光回路２２と、測光領域調整手段２３とが備えられている。
【００３２】
液晶レンズ３は、詳細は後述するが、液晶を用い、電圧の印加を受け印加電圧に応じて測光用受光素子２１による測光範囲を変化させる。
【００３３】
測光用受光素子２１は、液晶レンズ３で変化させた測光範囲の光を受光する。
【００３４】
測光回路２２は、測光用受光素子２１からの受光信号を処理して駆動用ＣＰＵ１２０に向けて出力する。
【００３５】
測光領域調整手段２３は、撮影光学系１を構成する撮影レンズ１０１の焦点距離に応じて液晶レンズ３への印加電圧を調整する。
【００３６】
図４は、図３に示す液晶レンズの断面図である。
【００３７】
図３に示す液晶レンズ３は、第１の液晶素子３＿１と第２の液晶素子３＿２から構成されている。
【００３８】
第１の液晶素子３＿１には、スペーサ３１と、スペーサ３１を介して互いに対向して配置された平板状の透明基板３２，３３と、透明基板３２，３３の内面に配備された透明電極３４，３５と、透明電極３４，３５の内面に配備された配光膜３６，３７と、スペーサ３１および配光膜３６，３７からなる空間に封入された液晶３８とが備えられている。液晶３８は液晶分子３８ａを有する。また、透明電極３４，３５には、液晶分子３８ａの配列の方向を調整する電圧Ｖが印加される。
【００３９】
第２の液晶素子３＿２は、第１の液晶素子３＿１と比較し、透明電極３５が透明電極３５０に置き換えられている点が異なっている。尚、透明電極３４，３５，３５０については後述する。
【００４０】
第１の液晶素子３＿１および第２の液晶素子３＿２を構成する透明基板３２，３３は、入射される光の波長帯域に対して高い透過率を有する材料で形成され、ガラスや高分子フイルム等を用いることができる。
【００４１】
また、透明電極３４，３５，３５０は、電圧Ｖが印加される電極パターンを有する。電極パターンの構造については後述するが、この電極パターンの構造およびこの電極パターンに印加される電圧Ｖの大きさに応じて、液晶分子３８ａの配列の方向を自在に調整することができる。
【００４２】
配光膜３６，３７は、透明電極３４，３５，３５０に電圧Ｖが印加されていないときに液晶分子３８ａを所定の配列の方向にさせておくためのものである。
【００４３】
ここで、液晶レンズ３の実施例について説明する。本実施例では、ガラス基板上に透明電極３４，３５，３５０としてインジウムスズオキサイド（ＩＴＯ）をスパッタにより付けた。その上に、配光膜３６，３７としてポリイミド膜（日産化学製）を塗布、焼成したのち、ラビング処理した。４０μｍのスペーサ３１（積水化学製）でサンドイッチ状に挟んだ素子中に液晶ＺＬＩ−１１３２（メルク製）を注入し封止した。
【００４４】
図５は、図４に示す液晶レンズを構成する第１の液晶素子の断面形状を、電極の構造とともに示す図である。
【００４５】
図５には、第１の液晶素子３＿１を構成する配光膜３６，３７と、それら配光膜３６，３７の外面に配備された透明電極３４，３５が示されている。透明電極３４は、この透明電極３４全体を覆うように形成された電極パターン３４ａを有する。一方、透明電極３５は、水平方向に形成されたストライプ状の電極パターン３５ａを有する。ここで、例えば電極パターン３４ａをグラウンド電位に維持するとともに電極パターン３５ａの上部および下部にのみ電圧を印加することにより、測光用受光素子２１の、幅方向の中央部にのみ入射光を入射させることができる。
【００４６】
図６は、図４に示す液晶レンズを構成する第２の液晶素子の断面形状を、電極の構造とともに示す図である。
【００４７】
図６に示す第２の液晶素子３＿２は、図５に示す第１の液晶素子３＿１と比較し、水平方向に形成されたストライプ状の電極パターン３５ａを有する透明電極３５に代えて、垂直方向に形成されたストライプ状の電極パターン３５０ａを有する透明電極３５０が配置されている点が異なっている。ここで、例えば電極パターン３４ａをグラウンド電位に維持するとともに電極パターン３５０ａの左部および右部にのみ電圧を印加することにより、測光用受光素子２１の、縦方向の中央部にのみ入射光を入射させることができる。
【００４８】
ここで、撮影光学系１が望遠側にズーミングされて撮影光学系１の撮影範囲が狭くなった場合、液晶レンズ３を構成する第１の液晶素子３＿１の電極パターン３５ａの上部および下部にのみ電圧を印加するとともに、第２の液晶素子３＿２の電極パターン３５０ａの右部および左部にのみ電圧を印加することにより、測光用受光素子２１の中央部にのみ入射光を入射させる。このようにすることにより、撮影光学系１が望遠側にズーミングされて撮影光学系１の撮影範囲が狭くなった場合であっても、その狭くなった撮影範囲に応じて測光範囲が変化し、この測光範囲に見合った光量が測光用受光素子２１で受光される。また、測光光学系２０は、図３に示すように簡単な構成で済む。従って、簡単な構成で高精度の測光値を得ることができ撮影画像の画質の低下を小さく抑えることができる。
【００４９】
図７は、本実施形態のカメラの、沈胴状態にあるレンズ鏡胴を光軸に沿って切断した断面図である。
【００５０】
図７に示すズーム鏡胴１０には、回転移動筒１２３にそれぞれ各カム機構を介して連結されその回転移動筒１２３の回転に伴ってその回転移動筒１２３に対し相対的に光軸方向に移動する、それぞれが前群レンズユニット２７１，後群レンズユニット３０１それぞれを保持する前群支持枠２７２，後群支持枠３０２が備えられている。
【００５１】
第１の駆動ギア１には、回転リング１２１に設けられた被駆動ギア２１１が噛合してあり、第１の駆動ギア１が回転するとその回転駆動力は被駆動ギア２１１に伝えられ、回転リング１２１が光軸を中心に回転する。この回転リング１２１は、カメラ本体９に固定された固定筒１２０の外周を取り巻くリング状の部材である。固定筒１２０の嵌合回動溝２０１には、回転リング１２１の回動連結部２１２が嵌合している。また、固定筒１２０の直進キー溝２０２および回転リング１２１のカム溝２１３の双方に、フォーカス筒１２２の外壁に立設されたカムピン２２１が挿通されており、このカムピン２２１は、回転リング１２１の回転に伴ってカム溝２１３に応じて光軸方向にスライド自在に移動する。
【００５２】
フォーカス筒１２２の前端部には、直進キーリング１２４の端部が嵌合された嵌合回動溝２２３と、回転移動筒１２３の回動連結部２３２が嵌合された嵌合回動溝２２２が設けられている。また、フォーカス筒１２２の内壁には直進キー溝２２４が形成されており、直進キーリング１２４に設けられた直進キー２４１が嵌入している。直進キーリング１２４は、回転移動筒１２３の内壁面に沿って筒状に形成されており、その部分には内壁面と外壁面とを貫いて光軸方向に直線的に延びるスリット状の直進キー溝２４３が形成されている。また、その直進キーリング１２４のさらに内側には、前群レンズユニット２７１，シャッタユニット１２８が前群ユニット１２７の主支持体である直進移動筒１２５に取り付けられている。この直進移動筒１２５の外壁にはカムピン２５１が立設し、そのカムピン２５１は、回転移動筒１２３の内壁面に形成されたカム溝２３３に係合している。さらに、後群ユニット１３０の後群支持枠３０２の外壁にはカムピン３０３が立設し、そのカムピン３０３は、直進キーリング１２４に設けられた直進キー溝２４３を突き抜けて、回転移動筒１２３の内壁面に形成されたカム溝２３４に係合している。また、直進移動筒１２５の前面には、レンズ銘板１２９が取り付けられている。直進移動筒１２５の、図７の上下には、前カバー４が示されている。
【００５３】
このように構成されたカメラ１００に電源が投入される。すると、第１の駆動ギア１のみが所定の方向（正回転の方向）に回転してその回転駆動力が被駆動ギア２１１を介して回転リング１２１に伝えられ、その回転リング１２１が光軸を中心に回転する。さらに、フォーカス筒１２２の、直進キー溝２０２とカム溝２１３との重なり部分に挿通されているカムピン２２１が、回転リング１２１の回転に伴ってカム溝２１３に応じて光軸方向（図７では左方向）に直進移動する。このようにして、沈胴状態にあるズーム鏡胴１０の繰出しが行なわれてワイド状態になる。
【００５４】
図８は、本実施形態のカメラの、撮影レンズがワイド状態にあるレンズ鏡胴を光軸に沿って切断した断面図である。
【００５５】
電源が投入されてズーム鏡胴１０の繰出しが行なわれた時点では、前群レンズユニット２７１と後群レンズユニット３０１との相対位置は、前述した図７に示す沈胴状態における前群レンズユニット２７１と後群レンズユニット３０１との相対位置と同じ状態にある。ここで、ズームボタン１２５がテレ側に操作される。すると、テレ側へのズーム動作（ズームアップ動作）が行なわれる。
【００５６】
図９は、本実施形態のカメラの、撮影レンズがテレ状態にあるレンズ鏡胴を光軸に沿って切断した断面図である。
【００５７】
このズーム動作では、第２の駆動ギア２のみが所定の方向（正回転の方向）に回転してその回転駆動力が被駆動ギア２３１を介して回転移動筒１２３に伝えられ、その回転移動筒１２３が光軸を中心に回転する。すると、回転移動筒１２３に備えられたカム溝２３３の所定の経路パターンに従ってカムピン２５１が、光軸方向（図９では左方向）に移動する。すると、直進移動筒１２５が光軸方向に繰り出される。また、回転移動筒１２３の内壁面に形成された、別の経路パターンを有するカム溝２３４には、カムピン３０３が係合されており、このため後群ユニット１３０もその別の経路パターンに従って光軸方向に移動する。このようにして、テレ側へのズーム動作が行なわれる。
【００５８】
図９に示すズーム動作が行なわれた状態においてシャッタボタン１４が押されると、シャッタが実際に開閉するよりも前に、このカメラ１００に搭載されたアクティブタイプのオートフォーカス装置である測距部１７により被写体までの距離が測定され、測定された距離を表すＡＦ信号によってもたらされた制御信号によって、移動量が調整されてフォーカス調節が行なわれる。具体的には、第１の駆動ギア１のみが逆方向に回転してその回転駆動力が被駆動ギア２１１を介して回転リング１２１に伝えられて、その回転リング１２１が光軸を中心に回転する。すると、フォーカス筒１２２の、直進キー溝２０２とカム溝２１３との重なり部分に挿通されているカムピン２２１が、回転リング１２１の回転に伴ってカム溝２１３に応じて光軸方向（図９では右方向）に移動し、これに伴いフォーカス筒１２２も同じ光軸方向に移動する。ここで、フォーカス筒１２２の嵌合回動溝２２２には、回転移動筒１２３の回動連結部２３２が連結されているため、回転移動筒１２３も同じ光軸方向に移動する。さらに、回転移動筒１２３には、後群レンズユニット３０１を有する後群ユニット１３０も係合しているため、その後群ユニット１３０も同じ光軸方向に一緒に移動する。また、回転移動筒１２３のカム溝２３３には、直進移動筒１２５のカムピン２５１が係合しているため、直進移動筒１２５も同じ光軸方向に移動する。従って、前群ユニット２７も同じ光軸方向に移動することとなる。このように、前群ユニット２７と後群ユニット１３０とが一体的に同じ光軸方向に移動することにより、換言すればズームレンズ全体をカメラ本体９側に戻す動作により、フォーカス調節が行なわれる。
【００５９】
図１０は、図５に示す第１の液晶素子に代わる液晶素子の断面形状を、電極の構造とともに示す図である。
【００６０】
図１０に示す液晶素子３＿１０は、図５に示す液晶素子３＿１と比較し、全体を覆うように形成された電極パターン３４ａを有する透明電極３４に代えて、水平方向に形成されたストライプ状の電極パターン３５ａを有する透明電極３５が配備されている点が異なっている。ここで、例えば２つの電極パターン３５ａ，３５ａ双方の上部および下部にのみ電圧を印加することにより、測光用受光素子２１の、幅方向の中央部にのみ入射光を素早く入射させることができる。このような液晶素子３＿１０を有する液晶レンズで測光範囲を素早く変化させてもよい。
【００６１】
図１１は、図６に示す第２の液晶素子に代わる液晶素子の断面形状を、電極の構造とともに示す図である。
【００６２】
図１１に示す液晶素子３＿２０は、図６に示す液晶素子３＿２と比較し、全体を覆うように形成された電極パターン３４ａを有する透明電極３４に代えて、垂直方向に形成されたストライプ状の電極パターン３５０ａを有する透明電極３５０が配備されている点が異なっている。ここで、例えば２つの電極パターン３５０ａ，３５０ａ双方の左部および右部にのみ電圧を印加することにより、測光用受光素子２１の、縦方向の中央部にのみ入射光を素早く入射させることができる。このような液晶素子３＿１０を有する液晶レンズで測光範囲を素早く変化させてもよい。
【００６３】
図１２は、図４に示す液晶レンズとは異なる液晶レンズの断面図である。
【００６４】
図１２に示す液晶レンズ４１０は、図４を参照して説明した第１の液晶素子３＿１および第２の液晶素子３＿２と、第３の液晶素子４１１から構成されている。ここで、第１の液晶素子３＿１および第２の液晶素子３＿２は、前述したように、例えば撮影光学系１が望遠側にズーミングされて撮影光学系１の撮影範囲が狭くなった場合、その狭くなった撮影範囲の横方向および縦方向に応じて測光範囲が変化する液晶素子である。
【００６５】
一方、第３の液晶素子４１１はレンズ作用を成す液晶素子である。この第３の液晶素子４１１は、撮影光学系１のズーミングに対応してズーミングするズームレンズの役割を担っている。
【００６６】
図１３は、第３の液晶素子の断面形状を、電極の構造とともに示す図である。
【００６７】
図１３には、第３の液晶素子４１１を構成する配光膜３６，３７と、それら配光膜３６，３７の外面に配備された透明電極３４，４１２が示されている。透明電極３４は、この透明電極３４全体を覆うように形成された電極パターン３４ａを有する。一方、透明電極４１２は、複数の同心円状の電極パターン４１２ａを有する。また、配光膜３７は、液晶分子３８ａの配向方向が電極パターン４１２ａに応じて異なるように配向処理されている。ここで、例えば電極パターン３４ａをグラウンド電位に維持するとともに複数の同心円状の電極パターン４１２ａの周辺部から中央部にかけて値が徐々に小さく（もしくは大きく）なるような電圧を印加することにより、凹状（もしくは凸状）のレンズ機能を実現することができる。このように、第３の液晶素子４１１で測光光学系２０のズーミング機能を実現してもよい。
【００６８】
図１４は、図１３に示す液晶レンズとは異なる液晶レンズの断面図である。
【００６９】
図１４に示す液晶レンズ５１０には、この液晶レンズ５１０を構成する配光膜３６，３７と、それら配光膜３６，３７の外面に配備された透明電極３４，５１１が示されている。透明電極３４は、この透明電極３４全体を覆うように形成された電極パターン３４ａを有する。一方、透明電極５１１は、マトリックス状の電極パターン５１１ａを有する。ここで、例えば電極パターン３４ａをグラウンド電位に維持するとともにマトリックス状の電極パターン５１１ａそれぞれに異なる値の電圧Ｖを印加することにより、１つの液晶レンズ５１０で測光範囲を変化させる機能とズーミング機能との双方の機能を実現することができる。
【図面の簡単な説明】
【００７０】
【図１】本発明の撮影装置の一実施形態であるカメラを示す図である。
【図２】図１に示すカメラの構成を示すブロック図である。
【図３】図２に示す測光光学系の構成を示すブロック図である。
【図４】図３に示す液晶レンズの断面図である。
【図５】図４に示す液晶レンズを構成する第１の液晶素子の断面形状を、電極の構造とともに示す図である。
【図６】図４に示す液晶レンズを構成する第２の液晶素子の断面形状を、電極の構造とともに示す図である。
【図７】本実施形態のカメラの、沈胴状態にあるレンズ鏡胴を光軸に沿って切断した断面図である。
【図８】本実施形態のカメラの、撮影レンズがワイド状態にあるレンズ鏡胴を光軸に沿って切断した断面図である。
【図９】本実施形態のカメラの、撮影レンズがテレ状態にあるレンズ鏡胴を光軸に沿って切断した断面図である。
【図１０】図５に示す第１の液晶素子に代わる液晶素子の断面形状を、電極の構造とともに示す図である。
【図１１】図６に示す第２の液晶素子に代わる液晶素子の断面形状を、電極の構造とともに示す図である。
【図１２】図４に示す液晶レンズとは異なる液晶レンズの断面図である。
【図１３】第３の液晶素子の断面形状を、電極の構造とともに示す図である。
【図１４】図１３に示す液晶レンズとは異なる液晶レンズの断面図である。
【符号の説明】
【００７１】
１  第１の駆動ギア
２  第２の駆動ギア
３，４１０，５１０  液晶レンズ
３＿１，３＿２，３＿１０，３＿２０，４１１  液晶素子
４  前カバー
９  カメラ本体
１０  ズーム鏡胴
１４  シャッタボタン
１５  ファインダ対物窓
１６  フラッシュ発光部
１７  測距部
１７ａ  ＡＦ投光窓
１７ｂ  ＡＦ受光窓
１６  フラッシュ発光部
２０  測光光学系
２１  測光用受光素子
２２  測光回路
２３  測光領域調整手段
３１  スペーサ
３２，３３  透明基板
３４，３５，３５０，４１２，５１１  透明電極
３４ａ，３５ａ，３５０ａ，４１２ａ，５１１ａ  電極パターン
３６，３７  配光膜
３８  液晶
３８ａ  液晶分子
４０  視度調節ダイヤル
４１  ファインダ接眼窓
４２  ＡＦランプ
４３  電源ボタン
４４  ズームボタン
４５  フイルム確認窓
４６  電池蓋
４７  液晶モニタ部
４７ａ  フラッシュモード表示部
４７ｂ  セルフタイマモード表示部
４７ｃ  フォーカスモード表示部
４７ｄ  日付モード表示部
４７ｅ  電池残存表示部
４７ｆ  撮影枚数表示部
４８  十字ボタン
４９  メニュー／決定ボタン
５０  内蔵電池
５１  ドライバＩＣ
５２  レギュレータ
５３  ＣＰＵ
５４  リセット回路
５５  ＥＥＰＲＯＭ
５６  バッテリチェック
５７，５９，６０，６１  電動モータ
５８  シャッタセンサ
６２  水晶発振子
７０  操作子群
１００  カメラ
１２０  裏蓋
１２０  固定筒
１２１  回転リング
１２２  フォーカス筒
１２３  回転移動筒
１２４  直進キーリング
１２５  直進移動筒
１２７  前群ユニット
１２８  シャッタユニット
１２９  レンズ銘板
１３０  後群ユニット
２０１，２２２，２２３  嵌合回動溝
２０２，２２４，２４３  直進キー溝
２１１，２３１  被駆動ギア
２１２，２３２  回動連結部
２１３，２３３，２３４  カム溝
２２１，２５１，３０３  カムピン
２７１  前群レンズユニット
２７２  前群支持枠
３０１  後群レンズユニット
３０２  後群支持枠
【図１】
2007108426.tif 000003
【図２】
2007108426.tif 000004
【図３】
2007108426.tif 000005
【図４】
2007108426.tif 000006
【図５】
2007108426.tif 000007
【図６】
2007108426.tif 000008
【図７】
2007108426.tif 000009
【図８】
2007108426.tif 000010
【図９】
2007108426.tif 000011
【図１０】
2007108426.tif 000012
【図１１】
2007108426.tif 000013
【図１２】
2007108426.tif 000014
【図１３】
2007108426.tif 000015
【図１４】
2007108426.tif 000016